(57)【特許請求の範囲】
【請求項１】
複数種類のカメラ本体に着脱可能に構成された装着手段と、基準クロック信号を利用して電源の昇圧を行う昇圧手段とを有するストロボ装置において、
前記装着手段に装着されたカメラ本体からストロボ装置の電源の昇圧に関するカメラ情報を取得する取得手段と、
前記取得手段により取得したカメラ情報に基づいて前記基準クロック信号の周波数を設定する設定手段と、
前記設定手段により設定された周波数の基準クロック信号を前記昇圧手段に出力する出力手段とを備え、
前記設定手段は、前記取得したカメラ情報に基づいて発振条件を取得できる場合には、当該発振条件に応じて前記基準クロック信号の周波数を変更し、前記取得したカメラ情報に基づいて発振条件が取得できない場合には、前記基準クロック信号の周波数を所定値とすることを特徴とするストロボ装置。
【請求項２】
前記カメラ情報には、前記カメラ本体の種類を示す識別情報が含まれ、
前記設定手段は、前記識別情報から前記装着手段に装着されたカメラ本体に対応する発振条件を取得することを特徴とする請求項１記載のストロボ装置。
【請求項３】
前記装着手段にカメラ本体が装着されていない場合、前記出力手段は、前記所定値の周波数の基準クロック信号を前記昇圧手段に出力することを特徴とする請求項１または２に記載のストロボ装置。
【請求項４】
複数種類のカメラ本体に着脱可能に構成された第１の装着手段と、外部電源に着脱可能に構成された第２の装着手段と、基準クロック信号を利用して電源の昇圧を行う第１の昇圧手段とを有するストロボ装置において、
前記第１の装着手段に装着されたカメラ本体からストロボ装置の電源の昇圧に関するカメラ情報を取得する取得手段と、
前記取得手段により取得したカメラ情報に基づいて前記基準クロック信号の周波数を設定する設定手段と、
前記設定手段により設定された周波数の基準クロック信号を前記第１の昇圧手段と前記第２の装着手段に装着された外部電源における第２の昇圧手段にそれぞれ出力する出力手段とを備え、
前記設定手段は、前記取得したカメラ情報に基づいて発振条件が取得できる場合には、当該発振条件に応じて前記基準クロック信号の周波数を変更し、前記取得したカメラ情報に基づいて発振条件が取得できない場合には、前記基準クロック信号の周波数を所定値とすることを特徴とするストロボ装置。
【請求項５】
複数種類のカメラ本体に着脱可能に構成された装着手段と、基準クロック信号を利用して電源の昇圧を行う昇圧手段とを有するストロボ装置の制御方法において、
前記装着手段に装着されたカメラ本体からストロボ装置の電源の昇圧に関するカメラ情報を取得する取得工程と、
前記取得工程にて取得したカメラ情報に基づいて前記基準クロック信号の周波数を設定する設定工程と、
前記設定工程にて設定された周波数の基準クロック信号を前記昇圧手段に出力する出力工程とを備え、
前記設定工程では、前記取得したカメラ情報に基づいて発振条件が取得できる場合には、当該発振条件に応じて前記基準クロック信号の周波数を変更し、前記取得したカメラ情報に基づいて発振条件が取得できない場合には、前記基準クロック信号の周波数を所定値とすることを特徴とする制御方法。
【請求項６】
複数種類のカメラ本体に着脱可能に構成された第１の装着手段と、外部電源に着脱可能に構成された第２の装着手段と、基準クロック信号を利用して電源の昇圧を行う第１の昇圧手段とを有するストロボ装置の制御方法において、
前記第１の装着手段に装着されたカメラ本体からストロボ装置の電源の昇圧に関するカメラ情報を取得する取得工程と、
前記取得工程にて取得したカメラ情報に基づいて前記基準クロック信号の周波数を設定する設定工程と、
前記設定工程にて設定された周波数の基準クロック信号を前記第１の昇圧手段と前記第２の装着手段に装着された外部電源における第２の昇圧手段にそれぞれ出力する出力工程とを備え、
前記設定工程は、前記取得したカメラ情報に基づいて発振条件が取得できる場合には、当該発振条件に応じて前記基準クロック信号の周波数を変更し、前記取得したカメラ情報に発振条件が取得できない場合には、前記基準クロック信号の周波数を所定値とすることを特徴とする制御方法。
【発明の詳細な説明】
【技術分野】
【０００１】
本発明は、ストロボ装置及びその制御方法に関し、特に、複数種類のカメラに着脱可能に構成されたストロボ装置の充電時における、カメラで撮像された画像の画質劣化を防止する技術に関する。
【背景技術】
【０００２】
近年、ストロボ装置では、発光用メインコンデンサの充電時間を短縮するために電池の充電電流を大きくする傾向にある。この充電電流の増加により、ストロボ装置が装着された状態のカメラに与えるノイズも大きくなってきている。一方、カメラでは、画像の高感度化が図られていると共に、撮影された画像データのメモリへの記録速度も高速化している。
【０００３】
発光用メインコンデンサの充電時間を短縮すべく、充電効率の良い周波数で制御して充電を行う場合、画像データの記録時に、上述したノイズにより画像データに周期的な縞状のノイズが発生してしまうおそれがある。これを回避するために、ストロボ装置の装着が可能な各種カメラに対して、充電効率の良い周波数付近で且つノイズの発生が少ない周波数で制御して充電ができるように設計がなされつつある。
【０００４】
また、ストロボ装置では、ノイズの発生源である昇圧トランスやスイッチング素子をカメラから離れた位置に配置することにより、カメラに与えるストロボの充電ノイズを低減している。さらに、上述した実装上の対応でもノイズが取りきれない場合には、昇圧トランスやスイッチング素子からのノイズを遮蔽するために静電シールドや磁気シールドが行われている。
【０００５】
しかしながら、今後、カメラの高感度化で信号量が減少すれば、ストロボ装置からのノイズの影響も更に大きくなってしまう。また、画像の記録速度はさらにアップし、画像データの取り込み周波数も変化していることから、上述したように充電制御の周波数を変更することでノイズ発生を回避することが困難になって来ている。また、実装上で静電シールドや磁気シールドを行うためのコストも膨らむ要因となる。
【０００６】
カメラが受けるノイズの軽減に関しては、撮像時のアナログ信号から無信号時のアナログ信号の差を取ることでノイズ成分を除去する方式が知られている。撮像時のアナログ信号検出タイミングと無信号時のノイズ成分のアナログ信号検出タイミングの時間差の整数倍となる波長から決まる周波数で駆動する方式もある。それ以外にも、カメラによって実装上の差でノイズを受けにくい周波数がある。例えば、特許文献１では、通信時の障害とならない周波数が設定可能なストロボ付き携帯電話が提案されている。しかしながら、携帯電話では、通信時に使用する周波数帯が予め固定されていることから障害の回避が容易である。
【０００７】
また、特許文献２では、障害となるノイズを避けるために、第１の信号成分を読み込むタイミングとノイズ成分を差分検出手段が読み見込む第２のタイミングをノイズ周波数情報により変更することでノイズを回避する技術が開示されている。
【先行技術文献】
【特許文献】
【０００８】
【特許文献１】特開２００５−２９２６１８号公報
【特許文献２】特開２０１０−５０６３６号公報
【発明の概要】
【発明が解決しようとする課題】
【０００９】
しかしながら、障害の発生する周波数がカメラの種類で異なることから、各種カメラに装着が可能に設計されたストロボ装置では、ノイズを回避するための周波数を予め設定することができない。
【００１０】
また、ノイズを回避するために、信号成分の読み込みタイミングをノイズ周波数により変更する場合、周波数に応じて読み込みタイミングがずれてしまい、使い勝手に問題がある。
【００１１】
そこで、本発明は、上記問題に鑑みて成されたものであり、異なる種類のカメラに応じて画像ノイズを防止することができ、使い勝手の良いストロボ装置及びその制御方法を提供することを目的とする。
【課題を解決するための手段】
【００１２】
上記目的を達成するために、本発明のストロボ装置は、複数種類のカメラ本体に着脱可能に構成された装着手段と、基準クロック信号を利用して電源の昇圧を行う昇圧手段とを有するストロボ装置において、前記装着手段に装着されたカメラ本体からストロボ装置の電源の昇圧に関するカメラ情報を取得する取得手段と、前記取得手段により取得したカメラ情報に基づいて前記基準クロック信号の周波数を設定する設定手段と、前記設定手段により設定された周波数の基準クロック信号を前記昇圧手段に出力する出力手段とを備え、前記設定手段は、前記取得したカメラ情報に基づいて発振条件を取得できる場合には、当該発振条件に応じて前記基準クロック信号の周波数を変更し、前記取得したカメラ情報に基づいて発振条件が取得できない場合には、前記基準クロック信号の周波数を所定値とすることを特徴とする。
【発明の効果】
【００１３】
本発明によれば、異なる種類のカメラに応じて画像ノイズを防止することができ、ストロボ装置からのノイズを遮蔽するために過剰な静電や磁気のシールドを必要としないストロボ装置を提供することが出来る。
【図面の簡単な説明】
【００１４】
【図１】本発明の第１の実施形態に係るストロボ装置を用いたカメラシステムの構成図である。
【図２】図１のストロボ装置における昇圧回路の詳細な構成を示すブロック図である。
【図３】昇圧回路の発振動作を説明するための図である。
【図４】昇圧回路内のスイッチ素子の通電時間とドレイン電流との関係を示す図である。
【図５】第１の実施形態における昇圧回路の発振条件を設定する処理の流れを示すフローチャートである。
【図６】図１のカメラシステムにおけるストロボ撮影動作の流れを示すフローチャートである。
【図７】プリ発光補正量を説明するための図である。
【図８】本発明の第２の実施形態に係るストロボ装置を用いたカメラシステムの構成図である。
【図９】第２の実施形態における昇圧回路の発振条件を設定する処理の流れを示すフローチャートである。
【発明を実施するための形態】
【００１５】
以下、本発明の実施の形態を図面を参照して詳細に説明する。
【００１６】
［第１の実施形態］
図１は、本発明の第１の実施形態に係るストロボ装置を用いたカメラシステムの構成図である。
【００１７】
図１において、カメラシステムは、カメラ本体１００、カメラ本体１００に着脱可能な交換レンズ２００、及びカメラ本体１００に着脱可能なストロボ装置３００で構成される。カメラ本体１００と交換レンズ２００との間は、装着時にコネクタ１２３により電気的に接続され、カメラ本体１００とストロボ装置３００との間は、装着時にコネクタ１３０により電気的に接続される。ストロボ装置３００は、複数種類のカメラ本体に着脱可能に構成されていてもよい。
【００１８】
まず、カメラ本体１００内の構成について説明する。
【００１９】
カメラマイコン１０１は、カメラ本体１００の各部を制御するマイクロコンピュータである。カメラマイコン１０１は、交換レンズ２００内のレンズマイコン２０１とコネクタ１２３を介して通信し、交換レンズ２００のズーム位置（焦点距離情報）、距離環位置（被写体距離情報）等のレンズ情報を取得可能である。また、カメラマイコン１０１は、レンズマイコン２０１との通信が可能かどうかを判断して、カメラ本体１００に対する交換レンズ２００の装着状態を判定することが可能である。
【００２０】
クイックリターンミラー１０４は、カメラマイコン１０１からの指示を受け付けた不図示のアクチュエータが駆動することにより、アップダウンが可能である。露光の際には、後述するシャッター１０３が開いた状態でクイックリターンミラー１０４がアップして撮像素子１０２を露光する。また、クイックリターンミラー１０４は、ハーフミラーで構成され、ダウン中は、サブミラー１１５を介して焦点検出回路（ＡＦセンサ）１０７に光を導く。
【００２１】
測光回路（ＡＥセンサ）１０６は、交換レンズ２００を通した被写体の輝度を測光値として測定する。
【００２２】
サブミラー１１５は、クイックリターンミラー１０４のアップに連動して退避する。クイックリターンミラー１０４がダウンしている間は、撮影者は、ペンタプリズム１１４とファインダ光学系（不図示）を通してフォーカシングスクリーン１０５を観察することで、交換レンズ２００を通して得た像のピントや構図の確認が可能となる。
【００２３】
シャッター１０３は、カメラマイコン１０１の制御で撮像素子１０２の露光時間を自由に制御する。
【００２４】
撮像素子１０２は、交換レンズ２００によって結像された被写体像を光電変換して画像信号として出力する。
【００２５】
Ａ／Ｄ変換回路１０８は、撮像素子１０２から入力されたアナログの画像出力信号をデジタル信号に変換する。この際、設定されているＩＳＯ感度に応じた変換を行う。
【００２６】
画像信号処理回路１１０は、静止画撮影時に、デジタル化された画像データに対してフィルタ処理や色変換処理、ガンマー／ニー処理を行い、メモリコントローラ１２２に出力する。また、画像信号処理回路１１０は、Ａ／Ｄ変換回路１０８から入力される映像信号にホワイトバランス処理を施し、カメラマイコン１０１を介して表示部１１３に出力する。また、画像信号処理回路１１０は、ＪＰＥＧなどの圧縮処理機能も有する。連写モードの場合は、画像データがバッファメモリ１２１に一時格納され、未処理の画像データがバッファメモリ１２１から読み出されて、画像信号処理回路１１０で画像処理や圧縮処理が行われる。そのため、連写枚数は、バッファメモリ１２１の記憶容量や記憶速度に左右される。
【００２７】
一方、動画撮影準備時には、画像信号処理回路１１０は、画像処理等を行いながら動画データを表示部１１３に送信して表示させる。同時に、ＡＥセンサやＡＦセンサからのセンサ出力に基づいて演算制御が行われる。動画記録時には、動画データがメモリコントローラ１２２を介してメモリ１２０に記憶される。
【００２８】
カメラマイコン１０１は、撮影前に設定されているＩＳＯ感度、画像サイズ、画質に応じた画像サイズの予測値データを基に、メモリコントローラ１２２を通してメモリ１２０の記憶容量を確認する。そして、カメラマイコン１０１は、撮影可能残数や動画記録可能な時間を演算し、表示部１１３に表示する。
【００２９】
メモリコントローラ１２２は、静止画撮影時には、画像信号処理回路１１０から入力された未処理のデジタル画像データをバッファメモリ１２１に格納し、処理済みのデジタル画像をメモリ１２０に格納する。なお、不図示のカメラ本体の電源は、各ＩＣや駆動系に必要な電力を供給する。
【００３０】
入力部（操作部）１１２は、レリーズボタン等を備え、ユーザの操作を受け付けて操作情報をカメラマイコン１０１に送信する。カメラマイコン１０１は、入力部１１２からの操作情報に応じて各部を制御して、撮影等の各種機能が実現される。例えば、入力部１１２上のレリーズボタン（不図示）が半押し状態（ＳＷ１がＯＮ）になると、カメラマイコン１０１が各部を制御して撮影準備動作等が行われる。そして、レリーズボタンが全押し状態（ＳＷ２がＯＮ）になると、カメラマイコン１０１が各部を制御して撮影動作が行われる。入力部１１２には、レリーズボタンの他に、ＩＳＯ設定ボタン、画像サイズ設定ボタン、画質設定ボタン、情報表示ボタンなどスイッチ類が配置されており、カメラマイコン１０１によりスイッチの状態が検出されている。
【００３１】
表示部１１３やファインダ内の表示部（不図示）は、カメラマイコン１０１の表示命令に従って画像表示を行う。表示部１１３には、不図示のＬＥＤなどのバックライトが配置されている。
【００３２】
カメラマイコン１０１は、レリーズボタンが半押し状態のときに、焦点検出回路１０７の出力を用いてデフォーカス量を演算する。そして、カメラマイコン１０１は、演算したデフォーカス量に基づいて、交換レンズ２００内のレンズマイコン２０１とコネクタ１２３を介して通信し、レンズ駆動回路２０３を制御してピントを合わせる。
【００３３】
次に、交換レンズ２００内の構成について説明する。
【００３４】
撮影レンズ２０２は、フォーカスレンズを含む複数のレンズで構成される。レンズ駆動回路２０３は、例えば、ステッピングモータによって構成され、レンズマイコン２０１の制御によって撮影レンズ２０２におけるフォーカスレンズの位置を変化させることによりピントを合わせる。
【００３５】
絞り駆動回路２０６は、レンズマイコン２０１からの制御信号に応じて絞り２０５を変化させる。レンズマイコン２０１は、測光回路１０６により検出された測光値に対応する制御データをカメラマイコン１０１から受信し、絞り駆動回路２０６に制御信号を出力する。
【００３６】
次に、ストロボ装置３００内の構成について説明する。
【００３７】
従来のストロボ装置における充電回路では、フォワードの自励発振方式が採用され、ストロボ装置内のメインコンデンサの充電状態により発振周波数が変化していた。
【００３８】
本実施形態における充電回路では、一定周波数で充電が可能な他励発振方式が採用されている。
【００３９】
ストロボマイコン３１０は、ストロボ装置３００の各部の動作を制御するマイクロコンピュータである。電池３０１はストロボ装置３００の電源である。
【００４０】
整流ダイオード３０２とコンデンサ３０３を図示のように接続することで、昇圧回路３０４が動作中に電池３０１の電圧が低下してもストロボマイコン３１０への印加電圧が低下しないように構成されている。
【００４１】
昇圧回路３０４は、電池３０１の電圧を三百数十Ｖに昇圧する昇圧回路である。昇圧回路３０４は、ストロボマイコン３１０のＣＨＧ＿ＣＬＫ１端子から出力される基準クロック信号と、ＣＨＧ＿ＯＮ１端子から出力される発振開始信号を受けて発振を行う。メインコンデンサ３０７は、昇圧回路３０４により充電されるコンデンサである。
【００４２】
抵抗３０５，３０６は、メインコンデンサ３０７の充電電圧を分圧するための抵抗であり、その分圧点はストロボマイコン３１０のＡ／Ｄ端子に接続される。
【００４３】
放電管３０９は、メインコンデンサ３０７に充電されたエネルギーを放電することで光に変換し、その光を被写体に照射する。
【００４４】
トリガー回路３０８は、放電管３０９に数ＫＶの電圧を印加して発光を開始させる既知のトリガー回路である。トリガー回路３０８は、ストロボマイコン３１０のＴＲＩＧ端子から信号を受けると、放電管３０９にトリガー電圧を印加する。
【００４５】
発光制御回路３１４は、放電管３０９の発光の開始／停止を制御する制御回路である。発光制御回路３１４は、一般的には、絶縁ゲート型トランジスタなどを用いている。発光制御回路３１４は、放電管３０９の発光時点では導通状態であり、閃光放電を中止する場合に非導通状態として発光を停止する。発光時は発光制御回路３１４が導通状態であり、トリガー回路３０８の出力電圧が放電管３０９に印加されることで放電管３０９は発光を開始する。このとき、メインコンデンサ３０７の充電エネルギーは、メインコンデンサ３０７の高圧側→放電管３０９→発光制御回路３１４→メインコンデンサ３０７の低圧側（ＧＮＤ）の放電ループが形成され放電する。
【００４６】
フォトダイオード３３０は、放電管３０９の発光量を受光するセンサとしてのフォトダイオードであり、光ファイバー等により放電管３０９から発せられる光の一部が入射される。
【００４７】
積分回路３１１は、フォトダイオード３３０の受光電流を積分する積分回路である。放電管３０９の発光に伴い、ストロボマイコン３１０のＩＮＴ＿ＳＴ端子から信号を受けると積分を開始する。積分回路３１１は、コンパレータ３１２の反転入力端子と、ストロボマイコン３１０のＩＮＴ＿ＡＤ端子にアナログ信号を出力する。コンパレータ３１２の非反転入力端子は、ストロボマイコン３１０のＩＮＴ＿ＤＡＣ端子に接続される。
【００４８】
２入力のＡＮＤゲート回路３１３の一方の入力端子は、コンパレータ３１２の出力端子に接続され、他方の入力端子はストロボマイコン３１０のＦＬ＿ＳＴＡＲＴ端子に接続されている。そして、ＡＮＤゲート回路３１３の出力端子は、発光制御回路３１４に接続されている。
【００４９】
放電管３０９が組み込まれた反射傘３１５と、ストロボ装置３００の照射角を変更するストロボ光学系３１６の距離を変更することにより、被写体への照射ガイドナンバー及び配光を変化させることが可能である。
【００５０】
ズーム駆動回路３１７は、放電管３０９が組み込まれた反射傘３１５を移動させるモータを含む駆動回路である。レンズマイコン２０１からコネクタ１２３を介してズーム情報を受信したカメラマイコン１０１は、当該ズーム情報に応じた制御信号をストロボマイコン３１０に出力する。ストロボマイコン３１０は、ＺＯＯＭ端子からズーム駆動回路３１７にズーム信号を出力して、ズーム駆動回路３１７を制御する。
【００５１】
交換レンズ２００から得られる焦点距離情報は、コネクタ１２３、カメラマイコン１０１及びコネクタ１３０を介して、撮影レンズの焦点距離情報として、ストロボマイコン３１０に送信される。
【００５２】
位置検出部３１８は、ストロボ光学系３１６の位置を検出するためのエンコーダ等の位置検出部である。
【００５３】
位置検出部３１８からストロボマイコン３１０のＰＯＳＩ端子に移動情報が入力されると、ストロボマイコン３１０のＺＯＯＭ端子からズーム駆動回路３１７に駆動信号が出力され、ズーム駆動回路３１７内のモータが動作する。
【００５４】
入力部（入力インターフェース）３２０は、例えば、ストロボ装置３００の側面などに配置されたスイッチ類であり、手動によりズーム情報を入力することも可能である。表示部３１９は、ストロボ装置３００の各状態を表示する表示部である。
【００５５】
図２は、図１のストロボ装置３００における昇圧回路３０４の詳細な構成を示すブロック図である。
【００５６】
図２において、電源スイッチ５０１は、入力部３２０に配置された、ストロボ装置３００をＯＮ／ＯＦＦするためのスイッチである。抵抗５０２，５０３は、ストロボマイコン３１０のＣＨＧ＿ＯＮ１端子から出力されるハイレベルの発振開始信号を受けると、抵抗５０３にハイレベルの電位が発生する。
【００５７】
２入力のアンドロジック回路５０６，５０８は、いずれも入力端子の一方が抵抗５０３に接続されている。抵抗５０４，５０５は、アンドロジック回路５０６の出力端子に接続され、抵抗５０４，５０５の中点がスイッチ素子５０９のゲート端子に接続されている。抵抗５１０，５１１は、アンドロジック回路５０８の出力端子に接続され、抵抗５１０，５１１の中点がスイッチ素子５１２のゲート端子に接続されている。インバータ５０７は、入力端子がアンドロジック回路５０６の入力端子の他方に、出力端子がアンドロジック回路５０８の入力端子の一方に接続されている。
【００５８】
昇圧トランス５１３は、１次巻線側に中間タップを有するトランスである。昇圧トランス５１３の１次巻線の中間タップが、電池３０１の正極に接続され、他端がそれぞれスイッチ素子５０９，５１２のドレイン端子に接続されている。昇圧トランス５１３の２次巻線は、ダイオードブリッジ５１４の入力端子に図２のように接続されている。
【００５９】
ダイオードブリッジ５１４の出力側は、メインコンデンサ３０７の正極に接続されている。ダイオードブリッジ５１４の他端は、メインコンデンサ３０７の負極に接続されている。ダイオードブリッジ５１４は、昇圧トランス５１３の２次出力である交流電流を全波整流する。図示の構成は、いわゆる他励プッシュプルフォワードコンバータである。
【００６０】
抵抗３０５，３０６は、メインコンデンサ３０７の充電電圧を分圧し、その分圧電圧がストロボマイコン３１０のＡ／Ｄ端子に印加される。
【００６１】
ストロボマイコン３１０は、Ａ／Ｄ端子に印加された電圧から、内蔵するＡ／Ｄコンバータ（不図示）により、メインコンデンサ３０７の充電電圧の検出が可能になっている。
【００６２】
次に、ストロボ装置３００における昇圧回路３０４の発振動作について図３を参照して説明する。図３は、ストロボ装置３００における昇圧回路３０４の発振動作を説明するための図である。
【００６３】
図３において、３−Ａは、ストロボマイコン３１０のＣＨＧ＿ＣＬＫ１端子から出力される基準クロック信号の波形である。基準クロック信号は、一般的には、数十キロヘルツ程度の周波数を有する。
【００６４】
基準クロック信号は、アンドロジック回路５０６及びインバータ５０７に入力される。アンドロジック回路５０８の入力端子にインバータ５０７の出力端子が接続されていることから、アンドロジック回路５０６の入力信号に対して位相が反転された信号がアンドロジック回路５０８に入力される。
【００６５】
図３の３−Ｂは、ストロボマイコン３１０のＣＨＧ＿ＯＮ１端子から出力される発振開始信号の波形である。ハイレベルの発振開始信号がアンドロジック回路５０６，５０８に入力されると、基準クロック信号に従ってアンドロジック回路５０６，５０８から図３の３−Ｃ，３−Ｄに示す波形を有する信号が出力される。
【００６６】
アンドロジック回路５０６の出力端子には、抵抗５０４，５０５が接続されており、抵抗５０５に印加されるハイレベルの電圧によりスイッチ素子５０９が導通（ＯＮ）する。同様に、アンドロジック回路５０８の出力端子には、抵抗５１０，５１１が接続されており、抵抗５１１に印加されるハイレベルの電圧によりスイッチ素子５１２が導通（ＯＮ）する。
【００６７】
このように、スイッチ素子５０９，５１２が導通（ＯＮ）、非導通（ＯＦＦ）を交互に繰り返すことで昇圧トランス５１３の２次巻線側には巻線比に応じた電圧が発生する。この電圧は、ダイオードブリッジ５１４により整流され、メインコンデンサ３０７の充電に利用される。
【００６８】
図３の３−Ｅは、メインコンデンサ３０７の充電電流の波形を示している。図示例の波形では、スイッチ素子５０９，５１２のＯＮ／ＯＦＦの切り換えタイミングで充電電流が流れないことを示している。充電電流は、充電時間の経過に応じて変化し、スイッチ素子５０９，５１２のＯＮ／ＯＦＦ切り換え時のロス時間ｔｓｗを無視すれば、おおよそ下式で示すことができる。
【００６９】
Ｉ＝Ｅｂａｔ／Ｒｌｏｏｐ×ＥＸＰ（−ｔ／（ｎ×ｎ×Ｃ×Ｒｌｏｏｐ））
Ｅｂａｔ：電池３０１の電圧
Ｒｌｏｏｐ：電池の抵抗成分を含む１次電流ループ内の等価抵抗
ｎ：昇圧トランス５１３の巻線比（＝２次巻線数／１次巻線数）
Ｃ：メインコンデンサ３０７の静電容量
上式では、スイッチ素子５０９，５１２のＯＮ／ＯＦＦ切り換え時のロス時間ｔｓｗを無視したが、基準クロック信号の周波数ｆが高いほどスイッチ素子５０９，５１２の駆動反転回数が増えるために充電時間は延びる傾向となる。
【００７０】
切り換え時にロスがない充電時間ｔに対して、実際の充電時間ｔ’はほぼ下式で示すことができる。
【００７１】
ｔ’＝ｔ×（１＋２×ｔｓｗ×ｆ）
基準クロック信号の周波数ｆは、昇圧トランス５１３によるが、一般的には３０〜８０ｋＨｚ程度である。例えば、切り換え時のロスが無い充電時間ｔが４．５秒で基準クロック信号の周波数ｆを５０ｋＨｚとする。スイッチ素子５０９，５１２の切り換え時のロス時間ｔｓｗを１μ秒の場合、実際の充電時間ｔ’は約５秒である。一方、基準クロック信号の周波数ｆを１００ｋＨｚとした場合は実際の充電時間ｔ’は５．５秒となり、周波数ｆが５０ｋＨｚの場合に対して０．５秒程度遅くなるが極端な充電時間変化にはならない。
【００７２】
図３の３−Ｆは、電池３０１の電圧波形を示しており、スイッチ素子５０９，５１２の駆動が開始されると、発振開始時に電池３０１の電圧が一時的に低下する。そこで、発振開始以前に整流ダイオード３０２を介してコンデンサ３０３に電荷を蓄積させ、電池３０１の電圧低下があっても整流ダイオード３０２により逆流を防止し、コンデンサ３０３の電荷をストロボマイコン３１０の電源として供給している。
【００７３】
以上のように、昇圧回路３０４におけるスイッチ素子５０９，５１２を、昇圧トランス５１３が飽和しない駆動時間（ｔｏｎ）の間隔で交互にＯＮ／ＯＦＦさせることで昇圧時の発振を行って、メインコンデンサ３０７の充電を行う。
【００７４】
メインコンデンサ３０７の電圧は、抵抗３０５，３０６により分圧され、ストロボマイコン３１０のＡ／Ｄ端子に印加される。メインコンデンサ３０７の電圧がフル充電電圧（Ｖｆｕｌｌ）に達すると、ストロボマイコン３１０は、ＣＨＧ＿ＯＮ１端子から出力される発振開始信号をロウレベルにして、アンドロジック回路５０６，５０８の出力を遮断する。この結果、スイッチ素子５０９，５１２は非導通となり、発振が停止する。
【００７５】
発振が停止し、メインコンデンサ３０７のリーク電流や抵抗３０５，３０６による消費でメインコンデンサ３０７の電圧が所定レベル以下に低下すると、ストロボマイコン３１０は、ＣＨＧ＿ＯＮ１端子からの発振開始信号をハイレベルにして再度発振を行う。そして、再びメインコンデンサ３０７の電圧がＶｆｕｌｌに達すると、発振を停止させる。以上の動作を繰り返すことでメインコンデンサ３０７の電圧がＶｆｕｌｌに保たれる。
【００７６】
図４は、昇圧回路３０４内のスイッチ素子５０９，５１２の通電時間とドレイン電流との関係を示す図である。
【００７７】
図４において、スイッチ素子５０９，５１２の通電時間が長くなると、昇圧トランス５１３のコアの磁束が飽和し、飽和通電時間（ｔｓａｔ）が経過した後に急激に大きなドレイン電流が流れる。これは、昇圧トランス５１３のコアの磁束が飽和しているため、２次巻線に電位の上昇がなく、１次巻線にのみ大電流が流れ、昇圧トランス５１３又はスイッチ素子５０９，５１２が発熱する。
【００７８】
飽和通電時間（ｔｓａｔ）は、メインコンデンサ３０７の充電電圧に依存し、充電電圧が高いほど飽和通電時間（ｔｓａｔ）は短くなる。そのため、設定された周波数の基準クロック信号を用いて充電を行う場合、メインコンデンサ３０７の充電電圧をＶｆｕｌｌよりやや高めの充電電圧に設定する。このときの飽和通電時間（ｔｓａｔ）に対して昇圧トランス５１３の飽和電流バラツキを考慮してやや短い駆動時間（ｔｏｎ）を決定し、充電効率の良いデフォルト値とする。
【００７９】
昇圧トランス５１３が飽和する以前からスイッチ素子５０９，５１２が駆動し、該スイッチ素子５０９，５１２のＯＮ／ＯＦＦに応じて昇圧トランス５１３の２次電流も反転するので、昇圧回路３０４は一定の周波数でメインコンデンサ３０７の充電が可能となる。
【００８０】
このように、ストロボマイコン３１０は、昇圧回路３０４に、予め充電効率の良い周波数の基準クロック信号を出力するように構成されている。また、基準クロック信号の周波数より高い周波数であっても、昇圧トランス５１３の飽和が無く、スイッチ素子５０９，５１２のＯＮ／ＯＦＦにより充電時間が遅くなるが、メインコンデンサ３０７への充電は可能である。
【００８１】
図５は、第１の実施形態における昇圧回路３０４の発振条件を設定する処理の流れを示すフローチャートである。本処理は、図１におけるストロボマイコン３１０とカメラマイコン１０１との通信によって実行される。
【００８２】
図５において、まず、ストロボマイコン３１０は、カメラマイコン１０１とコネクタ１３０を介して通信を行い、カメラ情報を取得する（ステップＳ１）。カメラ情報は、カメラ本体１００の種類を示す識別情報であり、例えば、カメラＩＤが含まれる。本実施形態では、カメラＩＤの場合について説明するが、カメラ本体１００の種類を識別可能な情報であれば、どのような識別情報でもよい。
【００８３】
カメラマイコン１０１は、ストロボマイコン３１０からのカメラ情報の要求を待ち受けており、ストロボマイコン３１０からカメラ情報の要求が有れば、カメラ情報を送信する。
【００８４】
次に、ステップＳ２では、ストロボマイコン３１０は、カメラマイコン１０１からカメラ情報を受信したか否かを判別する。カメラ情報を受信した場合には、ストロボマイコン３１０は、ストロボ装置３００がカメラ本体１００に装着された状態にあると判断して、ステップＳ３に進む。一方、カメラ情報を受信していない場合は、ストロボマイコン３１０は、ストロボ装置３００がカメラ本体１００に装着されていない状態にあると判断して、ステップＳ５に進む。
【００８５】
ステップＳ３では、ストロボマイコン３１０は、取得したカメラ情報からカメラ本体１００の種類を判別し、装着されたカメラ本体１００に対応する発振条件を取得する。発振条件は、例えば、ノイズの影響の無い周波数そのものであっても、またノイズの影響の無い周波数からストロボマイコン３１０が算出する周波数であってもよい。
【００８６】
次に、ステップＳ４では、ストロボマイコン３１０は、装着されたカメラ本体１００に対応する発振条件が取得できたか否かを判別する。取得できた場合は、ステップＳ６に進む一方、取得できなかった場合は、ステップＳ５へ進む。
【００８７】
ステップＳ５では、ストロボマイコン３１０は、予めメモリ内に記憶されているデフォルト値を基準クロック信号の周波数に設定して、ステップＳ７へ進む。デフォルト値は、例えば、充電効率の良い基準周波数であり、予め決められた所定値である。
【００８８】
ステップＳ６では、ストロボマイコン３１０は、取得した発振条件から基準クロック信号の周波数を設定して、ステップＳ７へ進む。
【００８９】
ステップＳ７では、ストロボマイコン３１０は、ステップＳ５またはステップＳ６で設定された周波数の基準クロック信号を用いて充電を行う。すなわち、図３で説明したように、ストロボマイコン３１０のＣＨＧ＿ＯＮ１端子から出力される発振開始信号をハイレベルにし、ステップＳ５またはステップＳ６で設定された周波数の基準クロック信号をＣＨＧ＿ＣＬＫ１端子から出力する。これにより、メインコンデンサ３０７を充電する。メインコンデンサ３０７の電圧は、抵抗３０５，３０６により分圧され、その中点の電圧がストロボマイコン３１０のＡ／Ｄ端子に入力される。これにより、ストロボマイコン３１０は、メインコンデンサ３０７の電圧を検出する。
【００９０】
ステップＳ８では、ストロボマイコン３１０は、Ａ／Ｄ端子に印加されたメインコンデンサ３０７の電圧Ｖが、発光可能電圧（ＶＮＬ）に達したかを判定する。達していないと判定した場合にはステップＳ９に進む一方、達していると判定した場合は、ステップＳ１１に進む。
【００９１】
ステップＳ９では、ストロボマイコン３１０は、ステップＳ７で充電を開始してから所定時間が経過したか否かを判定する。所定時間が経過したと判定した場合、ストロボマイコン３１０は、電池３０１が消耗したと判断して、ＣＨＧ＿ＯＮ１端子から出力される発振開始信号をロウレベルにして充電を停止し、本処理を終了する。一方、ステップＳ９で所定時間が経過していないと判定した場合には、ステップＳ７に戻り、充電を継続する。
【００９２】
ステップＳ１１では、ストロボマイコン３１０は、表示部３１９に充電完了の表示を行い、ステップＳ１２では、カメラマイコン１０１に充電完了の信号を送信する。そして、充電を継続した状態で本処理を終了する。さらに、Ａ／Ｄ端子に印加されるメインコンデンサ３０７の電圧ＶがＶｆｕｌｌになるよう制御される。
【００９３】
メインコンデンサ３０７の電圧ＶがＶｆｕｌｌに達すると、ストロボマイコン３１０は、ＣＨＧ＿ＯＮ１端子から出力される発振開始信号をロウレベルにして発振を停止させる。以降、メインコンデンサ３０７のリーク電流や抵抗３０５，３０６による消費でメインコンデンサ３０７の充電電圧が所定レベル以下に低下した場合、ストロボマイコン３１０は、ＣＨＧ＿ＯＮ１端子から出力される発振開始信号をハイレベルにして再度発振を行う。そして、再びメインコンデンサ３０７の電圧がＶｆｕｌｌに達すると発振を停止させる。以上の処理を繰り返すことでメインコンデンサ３０７の電圧がＶｆｕｌｌに保たれる。
【００９４】
上述した昇圧回路３０４の発振条件の設定タイミングは、上述した流れに限定されるものではない。例えば、カメラマイコン１０１がストロボ装置３００の装着を検出したときに、カメラマイコン１０１からストロボマイコン３１０にカメラ情報を送信して、発振条件の切り換えを行うように構成されていてもよい。
【００９５】
次に、図１のカメラシステムにおけるストロボ撮影動作の流れを図６を参照して説明する。図６は、図１のカメラシステムにおけるストロボ撮影動作の流れを示すフローチャートである。
【００９６】
まず、カメラマイコン１０１は、入力部１１２上のレリーズボタンが半押し状態（ＳＷ１がＯＮ）になったか否かを判別し（ステップＳ１０１）、ＳＷ１がＯＮになるとステップＳ１０２に進む。
【００９７】
ステップＳ１０２では、カメラマイコン１０１は、入力部１１２上のスイッチ類の状態や入力部１１２上で予め設定された設定情報を読み込み、シャッタースピードや絞り等の設定及び撮影モードの設定等を行う。
【００９８】
次に、ステップＳ１０３では、ステップＳ１０２にて設定されたカメラ本体１００の撮影モードのうち、カメラ本体１００が自動焦点検出動作を行うモード（ＡＦモード）であるか、そうでないモード（ＭＦモード）であるかを判別する。この判別の結果、ＡＦモードであると判定したときは、ステップＳ１０４に進む一方、ＭＦモードであると判定したときは、ステップＳ１０６へ進む。
【００９９】
ステップＳ１０４では、カメラマイコン１０１は、焦点検出回路１０７を駆動することにより周知の位相差検出方式による焦点検出動作を行う。また、ステップＳ１０４では、入力部１１２にて設定された撮影モードや近点優先を基本の考え方とした周知の自動選択アルゴリズムなどを利用して、複数の測距点からどのポイントに合わせるか（測距ポイント）が決定される。
【０１００】
次に、ステップＳ１０５では、カメラマイコン１０１は、ステップＳ１０４で決定された測距ポイント（Ｆｏｃｕｓ．ｐ）を、カメラマイコン１０１内のメモリに記憶する。また、ステップＳ１０５では、カメラマイコン１０１は焦点検出回路１０７からの情報に基づき撮影レンズ２０２の駆動量を演算する。そして、この演算結果に基づきレンズマイコン２０１は、レンズ駆動回路２０３を制御して撮影レンズ２０２を合焦位置に駆動し、ステップＳ１０６へ進む。
【０１０１】
ステップＳ１０６では、カメラマイコン１０１は、測光回路１０６から被写体輝度に対応した測光値を取得する。測光回路１０６は、例えば、被写体画像を６つのエリアに分割して、それぞれから測光値を得る。測光値に対応した被写体輝度は、ＥＶｂ（ｉ）（ｉ＝０〜５）として、カメラマイコン１０１内のメモリに記憶される。
【０１０２】
次に、ステップＳ１０７では、カメラマイコン１０１は、ステップＳ１０６で取得した複数のエリアの被写体輝度ＥＶｂから、周知のアルゴリズムにより演算を行い、露出値（ＥＶｓ）を決定する。
【０１０３】
ステップＳ１０８では、カメラマイコン１０１は、交換レンズ２００内のレンズマイコン２０１と通信を行う。ここで、カメラマイコン１０１は、例えば、撮影レンズの情報である、焦点距離情報（ｆ）、被写体との距離の最小値（Ｄｉｓｔ＿ｍｉｎ）、被写体との距離の最大値（Ｄｉｓｔ＿ｍａｘ）等を受信する。ここで、被写体との距離が最小値と最大値の２種類あるのは、撮影レンズの被写体との距離情報の分解能が荒いことから必要となる。例えば、１ｍ〜１．５ｍの範囲に撮影レンズの距離環が合っている場合には、最小値が１ｍというデータで、最大値が１．５ｍというデータとなる。
【０１０４】
次に、ステップＳ１０９では、カメラマイコン１０１は、ストロボ装置３００内のストロボマイコン３１０に焦点距離情報等を送信する。ストロボマイコン３１０は、受信した焦点距離情報に基づいてズーム駆動回路３１７を駆動して位置検出部３１８でストロボ光学系３１６の位置を検出し、ストロボの照射角を制御する。
【０１０５】
なお、ステップＳ１０９の処理が実行されるタイミングで、図５に示す処理を行い、ストロボ装置３００内の昇圧回路３０４の発振条件を設定するように構成してもよい。
【０１０６】
続いて、ステップＳ１１０では、入力部１１２上のレリーズボタンが全押し状態（ＳＷ２がＯＮ）になったか否かを判別する。ＳＷ２がＯＦＦであればステップＳ１０１〜Ｓ１０９の処理を繰り返す一方、ＳＷ２がＯＮであれば、ステップＳ１１０以降の一連の撮影動作に進む。
【０１０７】
ステップＳ１１１では、カメラマイコン１０１は、ストロボ装置３００のプリ発光の直前に測光値を測光回路（ＡＥ）１０６により得る。例えば、６分割されたセンサの各測光値に対応した被写体輝度は、ＥＶａ（ｉ）（ｉ＝０〜５）として、カメラマイコン１０１内のメモリに記憶される。
【０１０８】
ステップＳ１１２では、カメラマイコン１０１は、ストロボマイコン３１０に対してプリ発光の命令を行う。ストロボマイコン３１０は、この命令に従って、トリガー回路３０８、発光制御回路３１４を制御して、所定時間、所定光量でフラットな発光を行って被写体を照明するプリ発光動作を行う。
【０１０９】
次に、ステップＳ１１３では、カメラマイコン１０１は、プリ発光時の測光値を測光回路１０６により得る。測光回路１０６で得られた測光値に対応した被写体輝度は、６つの測光エリアに分割された領域に応じて、ＥＶｆ（ｉ）（ｉ＝０〜５）として、カメラマイコン１０１内のメモリに記憶される。
【０１１０】
ステップＳ１１４では、カメラマイコン１０１は、露光動作に先立ってクイックリターンミラー１０４をアップ駆動して、撮影光路内から退去させる。
【０１１１】
ステップＳ１１５では、カメラマイコン１０１は、次式のように、ステップＳ１１４のプリ発光時の被写体輝度ＥＶｆからステップＳ１１１のプリ発光直前の被写体輝度ＥＶａを伸張したものの差分を取る。そして、プリ発光の反射光成分のみの被写体輝度ＥＶｄｆ（ｉ）を抽出する。抽出は６つの測光エリア毎に行われる。
【０１１２】
ＥＶｄｆ（ｉ）←ＬＮ２（２＾ＥＶｆ（ｉ）−２＾ＥＶａ（ｉ））
ｉ：０〜５
ステップＳ１１６では、カメラマイコン１０１は、ストロボ装置３００内のストロボマイコン３１０からプリ発光のガイドナンバー（Ｑｐｒｅ）データを取得する。
【０１１３】
プリ発光のガイドナンバー（Ｑｐｒｅ）データは、図７に示すように、メインコンデンサ３０７の発光直前の充電電圧やズーム位置により変化する。これは、ストロボマイコン３１０がレンズの焦点距離情報に応じてストロボ光学系３１６のズームを制御するためである。
【０１１４】
ステップＳ１１７では、カメラマイコン１０１は、測距ポイント、焦点距離情報、プリ発光のガイドナンバーデータ、バウンスフラグ等からストロボ光量を、分割された６つの測光エリアのうちのどのエリアの被写体に対して適正にもって行くべきかを選出する。選出されたエリアがＰ（０〜５のうちのどれか）として、カメラマイコン１０１内のメモリに記憶される。上記のように、ステップＳ１１７では、本発光量が演算される。露出値（ＥＶｓ）と被写体輝度（ＥＶｂ）と感度（ゲイン）とプリ発光反射光分のみの被写体輝度ＥＶｄｆ（ｐ）とから、設定または選出されたエリア（Ｐ）の被写体について、プリ発光量に対して適正となるメイン発光量の相対比（ｒ）を求める。
【０１１５】
ｒ←ＬＮ２  （２＾ＥＶｓ  −２＾ＥＶｂ（ｐ））−ＥＶｄｆ（ｐ）
ここで、露出値（ＥＶｓ）から被写体輝度（ＥＶｂ）の伸張したものの差分を取っているのは、ストロボ光を照射したときの露出が、外光分にストロボ光を加えて適正となるように制御するためである。
【０１１６】
次に、ステップＳ１１８では、カメラマイコン１０１は、次式のように、シャッタースピード（ＴＶ）と、プリ発光の発光時間（ｔ＿ｐｒｅ）と、入力部１１２にて予め設定された補正係数（ｃ）とを用いて相対比（ｒ）を補正し、新たな相対比ｒを演算する。
【０１１７】
ｒ←ｒ＋ＴＶ−ｔ＿ｐｒｅ＋ｃ
ここで、シャッタースピード（ＴＶ）とプリ発光の発光時間（ｔ＿ｐｒｅ）を用いて補正するのは、ストロボ装置３００内で、プリ発光の測光積分値（ＩＮＴｐ）とメイン発光の測光積分値（ＩＮＴｍ）とを正しく比較するためである。
【０１１８】
ステップＳ１１９では、カメラマイコン１０１は、ストロボマイコン３１０にメイン発光量を決定するためのプリ発光量の相対値（ｒ）を送信する。
【０１１９】
次に、ステップＳ１２０では、カメラマイコン１０１は、決められた露出値（ＥＶｓ）に基づく絞り値（ＡＶ）になるようにレンズマイコン２０１に指令を出す。それと共に、決められたシャッタースピード値（ＴＶ）になるように不図示のシャッター制御回路によりシャッター１０３を制御する。
【０１２０】
ステップＳ１２１では、カメラマイコン１０１は、シャッターの全開に同期して、ストロボマイコン３１０に本発光の発光信号を与える。ストロボマイコン３１０は、カメラ本体１００から送られてきた相対値（ｒ）に基づいて適正な発光量になるようにメイン発光制御を行う。
【０１２１】
露光が終了すると、カメラマイコン１０１は、撮影光路より退去させていたクイックリターンミラー１０４をダウン駆動して再び撮影光路内に斜設させる（ステップＳ１２２）。
【０１２２】
次に、ステップＳ１２３では、カメラマイコン１０１は、撮像素子１０２から出力された画像データをＡ／Ｄ変換回路１０８でデジタル信号に変換する。変換された画像データに対して画像信号処理回路１１０がホワイトバランスなど所定の信号処理を行う。次に、ステップＳ１２４では、カメラマイコン１０１は、画像信号処理回路１１０で処理された画像データを、メモリ１２０に記憶して本処理を終了する。
【０１２３】
以上説明したように、ストロボ装置３００内の昇圧回路３０４に入力される基準クロック信号の周波数を、ストロボ装置３００を装着したカメラ本体１００の種類に応じて設定する。これにより、異なる種類のカメラに応じて画像ノイズを防止することができる。また、画像データの取り込み周波数をノイズが生じる周波数に応じて変更する必要がなく、静電シールド等の設けずに済むことから、ノイズ低減のためのコスト増加を防止できる。
【０１２４】
［第２の実施形態］
図８は、本発明の第２の実施形態に係るストロボ装置を用いたカメラシステムの構成図である。なお、上記第１の実施の形態で説明した図１のカメラシステムと同様の部分については、同一の符号を用いてその説明を省略する。以下に、上記第１の実施の形態と異なる点のみを説明する。
【０１２５】
図８において、ストロボ装置６００は、図１のストロボ装置３００に対して、外部電源４００が着脱可能に構成され、コネクタ４０４とダイオード４０５が追加されている。
【０１２６】
外部電源４００の構成について説明する。
【０１２７】
外部電源４００は、ストロボ装置６００との接続用のコネクタ４０４（第２の装着手段）と、電池４０１と、電池４０１の電圧を三百数十Ｖに昇圧するための第２の昇圧回路４０２を備える。電池４０１は、急速充電が可能なように、ストロボ装置６００内の電池３０１よりも電池本数が多く構成されているが、同等本数でもよい。
【０１２８】
第２の昇圧回路４０２は、ストロボマイコン３１０のＣＨＧ＿ＣＬＫ２端子から出力される基準クロック信号と、ＣＨＧ＿ＯＮ２端子から出力される発振開始信号をコネクタ４０４を介して受信して発振を開始する。本実施形態では、ストロボ装置６００内の昇圧回路を第１の昇圧回路３０４としている。第１の昇圧回路３０４は、ストロボマイコン３１０のＣＨＧ＿ＣＬＫ１端子から出力される基準クロック信号と、ＣＧＨ＿ＯＮ１端子から出力される発振開始信号を受信する。なお、第２の昇圧回路４０２は、図３に示す第１の昇圧回路３０４と同等なものでよい。
【０１２９】
第２の昇圧回路４０２の高圧出力側は、ストロボ装置６００内のダイオード４０５を介してメインコンデンサ３０７に接続されている。外部電源４００がストロボ装置３００から外された場合でも、ダイオード４０５によりメインコンデンサ３０７の充電電荷がコネクタ４０４から放電しないような構成としている。
【０１３０】
ストロボマイコン３１０は、コネクタ４０４を介して外部電源４００側に接続される着脱検出用端子（ＣＨＫ端子）の接地レベル（ＬＯＷ）を検出することで外部電源４００の装着状態を判定することが出来る。
【０１３１】
図９は、第２の実施形態における昇圧回路３０４の発振条件を設定する処理の流れを示すフローチャートである。本処理は、図８におけるストロボマイコン３１０とカメラマイコン１０１との通信によって実行される。
【０１３２】
図９において、まず、ストロボマイコン３１０は、カメラマイコン１０１とコネクタ１３０（第１の装着手段）を介して通信を行い、カメラ情報を取得する（ステップＳ１）。カメラ情報は、カメラ本体１００の種類を示す情報であり、例えば、カメラＩＤが含まれる。なお、カメラ本体１００の種類を識別可能な情報であれば、どのようなものでもよい。
【０１３３】
カメラマイコン１０１は、ストロボマイコン３１０からのカメラ情報の要求を待ち受けており、ストロボマイコン３１０からカメラ情報の要求が有れば、カメラ情報を送信する。
【０１３４】
次に、ストロボマイコン３１０は、カメラマイコン１０１からカメラ情報を受信したか否かを判別する。カメラ情報を受信した場合には、ストロボマイコン３１０は、ストロボ装置３００がカメラ本体１００に装着された状態にあると判断して、ステップＳ３に進む。一方、カメラ情報を受信していない場合は、ストロボマイコン３１０は、ストロボ装置３００がカメラ本体１００に装着されていない状態にあると判断して、ステップＳ５に進む。
【０１３５】
ステップＳ３では、ストロボマイコン３１０は、取得したカメラ情報からカメラ本体１００の種類を判別し、装着されたカメラ本体１００に対応する発振条件を取得する。発振条件は、例えば、ノイズの影響の無い周波数そのものであっても、またノイズの影響の無い周波数からストロボマイコン３１０が算出する周波数であってもよい。
【０１３６】
次に、ステップＳ４では、ストロボマイコン３１０は、装着されたカメラ本体１００に対応する発振条件が取得できたか否かを判別する。取得できた場合は、ステップＳ６に進む一方、取得できなかった場合は、ステップＳ５へ進む。
【０１３７】
ステップＳ５では、ストロボマイコン３１０は、予めメモリ内に記憶されているデフォルト値を基準クロック信号の周波数に設定して、ステップＳ１３へ進む。デフォルト値は、例えば、充電効率の良い基準周波数である。
【０１３８】
ステップＳ６では、ストロボマイコン３１０は、取得した発振条件から基準クロック信号の周波数を設定して、ステップＳ１３へ進む。
【０１３９】
ステップＳ１３では、ストロボマイコン３１０は、外部電源４００が装着されているか否かをＣＨＫ端子に通電して接地の有無により判定する。接地されていると判定した場合は、外部電源４００が装着されていると判断してステップＳ１４に進む。
【０１４０】
ステップＳ１４では、ストロボマイコン３１０は、ストロボ装置６００とカメラ本体１００のカメラ情報から設定された基準クロック信号と同等のクロック信号をＣＨＧ＿ＣＬＫ２端子から第２の昇圧回路４０２に出力して、ステップＳ７へ進む。
【０１４１】
ステップＳ７では、ストロボマイコン３１０は、ステップＳ５またはステップＳ６で設定された周波数の基準クロック信号を用いて充電を行う。すなわち、図３で説明したように、ストロボマイコン３１０のＣＨＧ＿ＯＮ１端子を出力信号をハイレベルにし、ステップＳ５またはステップＳ６で設定された周波数の基準クロック信号をＣＨＧ＿ＣＬＫ１端子から出力する。これにより、メインコンデンサ３０７を充電する。
【０１４２】
また、ステップＳ７では、ストロボマイコン３１０は、ＣＨＧ＿ＯＮ２端子から出力する発振開始信号をハイレベルにし、外部電源４００内の第２の昇圧回路４０２に、ＣＨＧ＿ＣＬＫ１端子から出力される基準クロック信号と同等の基準クロック信号を与える。これにより、発振させる。
【０１４３】
第２の昇圧回路４０２の出力は、ストロボ装置６００内のダイオード４０５を介してメインコンデンサ３０７に送られ、第１の昇圧回路３０４と同時にメインコンデンサ３０７の充電が行われる。メインコンデンサ３０７の電圧は、抵抗３０５，３０６により分圧され、その中点の電圧がストロボマイコン３１０のＡ／Ｄ入力端子に印加される。
【０１４４】
次に、ステップＳ８では、ストロボマイコン３１０は、Ａ／Ｄ端子に印加されたメインコンデンサの電圧Ｖが、発光可能電圧（ＶＮＬ）に達したかを判定する。達していないと判定した場合にはステップＳ９に進む一方、達していると判定した場合は、ステップＳ１１に進む。
【０１４５】
ステップＳ９では、ストロボマイコン３１０は、ステップＳ７で充電を開始してから所定時間が経過したか否かを判定する。所定時間が経過したと判定した場合、ストロボマイコン３１０は、電池３０１が消耗したと判断して、ＣＨＧ＿ＯＮ１端子から出力される発振開始信号をロウレベルにして充電を停止し、本処理を終了する。一方、ステップＳ９で所定時間が経過していないと判定した場合には、ステップＳ７に戻り、充電を継続する。
【０１４６】
ステップＳ１１では、ストロボマイコン３１０は、表示部３１９に充電完了の表示を行い、ステップＳ１２では、カメラマイコン１０１に充電完了の信号を送信する。そして、充電を継続した状態で本処理を終了する。さらに、Ａ／Ｄ端子に印加されるメインコンデンサ３０７の電圧Ｖがフル充電電圧（Ｖｆｕｌｌ）になるよう制御される。
【０１４７】
メインコンデンサ３０７の電圧がＶｆｕｌｌに達すると、ストロボマイコン３１０は、発振開始信号端子（ＣＨＧ＿ＯＮ１端子、ＣＨＧ＿ＯＮ２端子）から出力される発振開始信号をロウレベルにして発振を停止させる。以降、メインコンデンサ３０７のリーク電流や抵抗３０５，３０６の消費でメインコンデンサ３０７の充電電圧が所定レベル以下に低下した場合、ストロボマイコン３１０は、発振開始信号端子から出力される発振開始信号をハイレベルにして再度発振を行う。そして、再びメインコンデンサ３０７の電圧がＶｆｕｌｌに達すると発振を停止させる。以上の処理を繰り返すことでメインコンデンサ３０７の電圧がＶｆｕｌｌに保たれる。
【０１４８】
以上説明したように、ストロボ装置６００内の第１の昇圧回路３０４と外部電源４００内の第２の昇圧回路４０２にそれぞれ入力される基準クロック信号の周波数を、ストロボ装置６００を装着したカメラ本体１００の種類に応じて設定する。これにより、異なる種類のカメラに応じて画像ノイズを防止することができる。また、画像データの取り込み周波数をノイズが生じる周波数に応じて変更する必要がなく、静電シールド等の設けずに済むことから、ノイズ低減のためのコスト増加を防止できる。
【０１４９】
上記第２の実施形態では、ストロボ装置６００側に基準クロック信号の出力用端子がない場合、ストロボマイコン３１０が第２の昇圧回路４０２の発振条件を設定することが出来ない。そこで、外部電源４００が基準クロック信号の発振回路を備え、ストロボ装置６００側に基準クロック信号の出力用端子がない場合には、当該発振回路の基準クロック信号を使用するように構成されていてもよい。
【０１５０】
また、上記第２の実施形態では、外部電源４００の装着有無を、ストロボマイコン３１０のＣＨＫ端子の接地有無により判定していたが、第２の昇圧回路４０２のみを作動させ、メインコンデンサ３０７の電圧の上昇の有無から判定するように構成してもよい。
【０１５１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１５２】
１００  カメラ本体
１０１  カメラマイコン
２００  交換レンズ
２０１  レンズマイコン
３００  ストロボ装置
３０４  昇圧回路
３０７  メインコンデンサ
３１０  ストロボマイコン
【図１】
0005794684.tif 000002
【図２】
0005794684.tif 000003
【図３】
0005794684.tif 000004
【図４】
0005794684.tif 000005
【図５】
0005794684.tif 000006
【図６】
0005794684.tif 000007
【図７】
0005794684.tif 000008
【図８】
0005794684.tif 000009
【図９】
0005794684.tif 000010